(57)【要約】      （修正有）【課題】片手で調整可能な平面ディスプレー装置の伸縮角度調整架台を提供する。【解決手段】固定架台１００、滑り台２００及び支え脚４００から調整架台１０が構成され、固定架台は本体と結合して本体を動かして一緒に移動することが可能である。支え脚は滑り台の底端に設けられ、固定架台と滑り台の間には弾性部件３００が設けられて、その固定架台と滑り台を連接し、かつその弾性部件によって支え脚は本体の外まで突き出す。支え脚が外力を受けると支え脚は本体内に向かって移動し、並びにその外力が釈放されるとその調整架台と本体の間は迅速にバランス状態を形成し、支え脚と本体はある角度を維持する。本体が外力を受けた場合、支え脚は平面の反作用力によって本体内に縮入し、特定位置に到達したら停止する。【選択図】図２
0003117097.tif 000002
【実用新案登録請求の範囲】
【請求項１】
片手で調整可能な平面ディスプレー装置の伸縮角度調整架台であって、本体、固定架台、滑り台、支え脚および弾性部件を備え、
固定架台の一面は本体と互いに結合することで本体を動かしてともに移動可能であり、
滑り台の一部は固定架台に組み付けられ、移動範囲は固定架台に制限され、
支え脚の頂端は滑り台の底端に設けられ、他端は平面に置かれて本体を支えることに用いられ、
弾性部件は固定架台と滑り台の間に連接され、弾性部件の弾性回復力または引伸力によって固定架台と滑り台は任意の位置で停止し、バランス状態を形成可能であり、支え脚と本体はニーズによってある特定の傾斜角を維持可能であることを特徴とする片手で調整可能な平面ディスプレー装置の伸縮角度調整架台。
【請求項２】
滑り台は滑り台の固定架台に面する一面に設けられ、弾性部件の容納に供される放置溝と、滑り台の両端からそれぞれ固定架台に向かって伸び出し、かつ滑り台の両端内面で滑り溝を形成し、滑り台の底端両側には複数個の第一孔が設けられ、支え脚の一面にはそれら第一孔と組み合わせられる第二孔が設けられ、第一孔及び第二孔は複数個の第一固定ボルトによって取り付け固定される二枚の保護板を含むことを特徴とする請求項１に記載の片手で調整可能な平面ディスプレー装置の伸縮角度調整架台。
【請求項３】
固定架台は中央部分が凹陥し、両側端にはそれぞれ外へ延伸して板が設けられ、二枚の板と本体の一面は連接して本体を同一方向に運動するように駆動可能であり、かつそれの中央部分の両側端には複数個の第三孔が設けられてある枠と、それぞれ複数個の第二固定ボルトによってそれら第三孔でその枠の滑り台に面する一面に締め付けられ、それによってクッション部を滑り溝に嵌め込み、滑り溝はクッション部に沿って活動すること可能となる二つのクッション部を含むことを特徴とする請求項２に記載の片手で調整可能な平面ディスプレー装置の伸縮角度調整架台。
【請求項４】
クッション部はそれぞれ挟み塊と、中間の凹陥部分には容置空間が形成され、容置空間はちょうど挟み塊を容納可能であり、かつそれら挟み塊と固定架台の間に固定され、滑り溝の中に嵌め込み可能なＵ形塊を含むことを特徴とする請求項３に記載の片手で調整可能な平面ディスプレー装置の伸縮角度調整架台。
【請求項５】
Ｕ形塊はプラスチックによって作られることを特徴とする請求項４に記載の片手で調整可能な平面ディスプレー装置の伸縮角度調整架台。
【請求項６】
Ｕ形塊はゴムによって作られることを特徴とする請求項４に記載の片手で調整可能な平面ディスプレー装置の伸縮角度調整架台。
【請求項７】
弾性部件は巻き付け状のばねであり、かつ外へ真っ直ぐ伸ばされた後は巻き付け状に回復可能な回復弾力を持ち、ばねの一端は固定架台に締め付けられ、他端は巻き筒の中空状に現れ、他端の両側面にはそれぞれスリーブが取り付けられ、二つのスリーブの間には軸が取り付けられ、軸の両端はそれぞれ放置溝の両端にそれぞれ設けられている凹溝に嵌め付けられ、それによって固定架台及び滑り台を連接して引き動かし可能であることを特徴とする請求項２に記載の片手で調整可能な平面ディスプレー装置の伸縮角度調整架台。
【請求項８】
固定架台の両側にはそれぞれ活動可能なストッパーが設けられ、滑り台の移動範囲を制限し、滑り溝がＵ形塊に沿って下へ移動し過ぎ、もとの経路から離脱することが阻止されることを特徴とする請求項４に記載の片手で調整可能な平面ディスプレー装置の伸縮角度調整架台。
【請求項９】
本体は平面ディスプレーのスクリーンであることを特徴とする請求項１に記載の片手で調整可能な平面ディスプレー装置の伸縮角度調整架台。
【考案の詳細な説明】
【技術分野】
【０００１】
本考案は、片手で調整可能な平面ディスプレー装置の伸縮角度調整架台に関し、特に弾性部件及び本体の重さを利用して力のモーメントのバランスが達成され、片手で調整可能な平面ディスプレー装置の伸縮角度調整架台に関する。
【背景技術】
【０００２】
現在私たちの生活はまさに電子産業が勢い盛んに発展する情報時代に進入しており、各種マルチメディアの電子製品は迅速に新旧入れ替わり、着実に人類の娯楽及びレジャーの発展のためにより多くの選択性をもたらしている。ところが、現今の各種電子科学技術の絶えない研究開発と進歩に伴い、関連する電子製品の実用性と便利性は使用者のニーズを満足しているか、または更に進んで利益の創造と費用節減の目的に符合しているかは消費者がかなり関心をよせている話題である。
【０００３】
現在、消費者が液晶ディスプレーに対する了解及び受け入れ性が逐次上昇していることに伴い、液晶ディスプレーの価格はますます普及している。体積の軽薄さを伝統的コンピュータのモニタ（ＣＲＴ）と比較すると、液晶ディスプレーは空間を占めず、及び外観がきれいと言うことから、液晶ディスプレーは幅広く使用者に愛用されている。液晶ディスプレーは今後のコンピュータ及びテレビ等ディスプレー介面の第一選択になるようになり、かつある資料によると、これから世界の主流家電メーカは主戦方向を液晶テレビに転換し、それはＤＶＤの後をついで全世界のもっともホットな製品になる可能がある。
【考案の開示】
【考案が解決しようとする課題】
【０００４】
しかしながら、消費者が液晶ディスプレーを看視使用する場合、依然不便なところがある。例えば液晶ディスプレーを看視する場合、個人の看視慣習及び身長の違いにより、または使用者の背景光源に逆光が発生し、そのために常に液晶ディスプレーのスクリーンの府仰角度を調整しなければならない。
【０００５】
従来の液晶ディスプレーについて言えば、第１図に示すように、スクリーン１が設けられ、スクリーン１の背部には枢設部３が設けられ、枢設部３とサポート２は互いに枢接してスクリーン１は上下に回ることが可能である。サポート２は底台４を含み、底台４は平面（例えば机）上に置かれる。スクリーン１の傾斜角度の定位置がより安定して簡単に移動しないようにするため、枢設部３でスクリーン１及びサポート２を枢接する場合、その多くはより緊迫した方式で行うので、液晶ディスプレーのスクリーン１を調整する場合は常に両手を併用し、片方の手でスクリーン１を押さえて傾斜角度を調整し、別の手で底台４を止めて角度調整の過程に揺れないようにする。それでなければスクリーン１の調整を完成することができない。もし使用者が両手を空かせない他の動作を進めている場合（例えば電話中または食事中）、使用者は先ず両手を空かせないとスクリーン１を調整することができないので、それは使用者の不便をもたらす。それゆえに、如何にして片手で調整可能な平面ディスプレー装置の伸縮角度調整架台を開発し、上述問題を解決するかは早急に解決するべき重要課題になっている。
【０００６】
以上のことに鑑み、従来の欠点を改善するため、発明人は長期の努力研究と実験を経た後、遂に本考案の片手で調整可能な平面ディスプレー装置の伸縮角度調整架台を開発設計した。
【０００７】
したがって本考案の目的は、本考案の目的は片手で調整可能な平面ディスプレー装置の伸縮角度調整架台を提供することにある。
【課題を解決するための手段】
【０００８】
上述の目的を達成するために本考案の請求項に記載の片手で調整可能な平面ディスプレー装置の伸縮角度調整架台は、固定架台、滑り台及び支え脚から調整架台が構成され、固定架台は本体と結合して固定架台は本体を動かして一緒に移動することが可能である。支え脚は滑り台の底端に設けられ、固定架台と滑り台の間には弾性部件が設けられてその固定架台と滑り台を連接し、かつその弾性部件によって支え脚は本体の外まで突き出す。支え脚が外力を受けると支え脚は本体内に向かって移動し、並びにその外力が釈放されるとその調整架台と本体の間は迅速にバランス状態を形成し、支え脚と本体はある角度を維持する。
【考案を実施するための最良の形態】
【０００９】
以下、本考案の目的を図面に基づいて説明する。
図２、図４、図５に示すように本考案の実施例による片手で調整可能な平面ディスプレー装置の伸縮角度調整架台は、調整架台１０は固定架台１００、滑り台２００及び支え脚４００を含む。支え脚４００の一端は滑り台２００の一端に設けられ、支え脚４００の他端は平面５００（例えば机）に置くことが可能である。固定架台１００の一面と本体６００は互いに結合し、それによって固定架台１００は本体６００を動かして一緒に移動することが可能である。滑り台２００の一部は固定架台１００に組み付けられ、並びにそれの移動範囲は固定架台１００に制限され、固定架台１００と滑り台２００の間は弾性的に伸縮可能な弾性部件３００（例えばばね）によって連接されている。本体６００は図５に示すように外力を受けた場合、支え脚４００は平面５００の反作用力によって本体内に縮入し、並びにある特定位置に到達したら停止する。この場合、調整架台１０と本体６００の間は迅速に弾力と重力のバランス状態を形成し、支え脚４００と本体６００はある特定の傾斜角を維持する。調整架台１０または本体６００が図４に示すように外力を受けてバランス状態が破壊されると、支え脚４００は重力によって下へ伸び出し、並びにその弾性部件３００を引き伸ばして本体６００の傾斜角度は逐次大きくなる。滑り台２００の移動が固定架台１００に制限され、または調整架台１０と本体６００の間に再度バランス状態が回復すると滑り台２００の移動は直ちに停止する。
【００１０】
本実施例に於いて、図２に示すように、滑り台２００の固定架台１００に面する一面には放置溝２１０が設けられ、弾性部件３００の一端はその放置溝２１０に連接することが可能である。滑り台２００の両端にはそれぞれその固定架台１００に向かって伸び出す保護板２２０が設けられ、保護板２２０は滑り台２００の両端内面で滑り溝２２２を形成する。滑り台２００の下側の縁近くには複数個の第一孔１１１が設けられ、支え脚４００の一面にはそれら第一孔１１１と組み合わせられる複数個の第二孔４０１が設けられる。孔１１１、孔４０１の間には第一固定ボルト１１３が取り付けられて、支え脚４００は滑り台２００の一面に締め付けられ、支え脚４００と滑り台２００は一体になって同一方向の移動を行う。
【００１１】
本考案の実施例に於いて、再び図２、図４に示すように、固定架台１００には中央部分が凹陥する枠１１０が含まれ、その枠１１０の両端にはそれぞれ外へ延伸して板２２１が設けられる。二枚の板２２１と本体６００の一面は連接して本体６００を固定架台１００と同一方向に運動するよう動かす。枠１１０には複数個の第三孔２２３が設けられ、複数個の第二固定ボルト２２５によってそれら第三孔２２３を枠１１０の滑り台２００に面する一面にそれぞれ順番に二つのクッション部１１４を締め付ける。これによりクッション部１１４を滑り溝２２２に嵌め込み、滑り溝２２２がクッション部１１４に沿って活動することが可能となる。このように、固定架台１００と滑り台２００の間にはクッション部１１４によって動摩擦力と静摩擦力を提供することが可能となり、その中、動摩擦力はその固定架台１００と滑り台２００の間に移動が発生したときに弾性部件３００の回復力を緩和する。支え脚４００の移動速度を低下させ、静摩擦力は調整架台１０の弾性部件３００の弾力と本体６００の重力の間にバランス状態が形成したとき、固定架台１００と滑り台２００が更に移動しない作用力を提供する。
【００１２】
更に図２、図３に示すように、クッション部１１４はＵ形塊１１５及び挟み塊１２０から構成され、Ｕ形塊１１５の中間の凹陥部分には容置空間が形成される。容置空間はちょうどその挟み塊１２０を容納することが可能で、Ｕ形塊１１５は挟み塊１２０と固定架台１００の間に固定することが可能となる。またＵ形塊１１５は滑り溝２２２の中に嵌め込まれ、Ｕ形塊１１５は摩擦係数の高い物質（例えばプラスチックまたはゴム）である。Ｕ形塊１１５の一面は滑り溝２２２の表面に当たっているので、摩擦が起きてＵ形塊１１５の滑り溝２２２での移動が早すぎて角度調整の不便が発生することを緩和する。滑り溝２２２がＵ形塊１１５に沿って移動した場合、滑り溝２２２は先ずＵ形塊１１５との間の最大静摩擦力を克服するが、違う材質の摩擦係数によって発生する摩擦力は違い、摩擦係数の範囲は０から１であり、値が大きいほど摩擦力が大きいことを示し、逆に摩擦力が小さいことを示しているので、適当な材質を選んで理想な摩擦力に到達し、調整架台１０と本体６００の間にバランス状態が形成すると（図４参照）、ごく小さな外力で破壊されないようになる。
【００１３】
本考案のもう一つの実施例に於いて、再び図２に示すように、その弾性部件３００は巻き付け状のばねで、かつ外へ真っ直ぐ伸ばされた後は巻き付け状に回復することが可能な回復弾力を持っており、ばねを真っ直ぐにした外力が消失すると、ばね３００の回復弾力は自身を原状（巻き付け状）に回復する。ばね３００の一端は固定架台１００に締め付けられ、他端は巻き筒の中空状に現れ、かつその弾性部件３００の他端の両側面にはそれぞれスリーブ３１０が取り付けられる。二つのスリーブ３１０の間には軸３２０が取り付けられ、軸３２０の両端はそれぞれ弾性部件３００を巻き付け状に回復することが可能な回復弾力によって放置溝２１０の両端にそれぞれ設けられている凹溝２１１に嵌め付けられる。それによって弾性部件３００はその放置溝２１０で弾性的に巻き付けて固定架台１００及び滑り台２００を連接して引き動かすことが可能となる。このように、支え脚４００または本体６００が図５に示すように外力を受けた場合、支え脚４００は平面５００の反作用力によって上へその本体６００内に縮入する。同時に滑り台２００を動かして弾性部件３００を曲げさせて原状に回復する。ある一定位置に到達して停止すれば、調整架台１０と本体６００の間は迅速に弾力と重力のバランス状態が形成して特定の傾斜角度を維持する。
【００１４】
図２に示すように、弾性部件３００が回復し過ぎることを防ぐため、固定架台１００の両側にそれぞれ活動可能なストッパー１３０を設けることも可能である。そうすれば滑り溝２２２がＵ形塊１１５に沿って下へ移動し過ぎてもとの経路から離脱することを阻止することが可能である。
【００１５】
本考案の実施例に於いて、本体はスクリーン６００でもよい。使用者がそのスクリーンの府仰角度を調整する場合は図５に示すようにスクリーンを垂直下へ押す。このとき滑り溝２２２とクッション部１１４（図２参照）の静摩擦力が消失して力のバランスが破壊され、支え脚４００は平面５００の反作用力を受けて本体６００内に縮入する。弾性部件３００を弾性収縮するようにし、並びに必要の傾斜角度に到達したら停止する。このとき、弾性部件３００の弾力（弾性収縮力）と本体６００の重力は迅速にバランスに到達して更に移動しないようにする。また図４に示すように本体６００の上端を押すと、支え脚４００は重力によって下に向かって平面５００へ移動し、かつ弾性部件３００を弾性引き伸ばすようにする。必要の傾斜角度に到達したら停止し、このとき、弾性部件３００の弾力（弾性引伸力）と本体６００の重力は迅速にバランスに到達して更に移動しないようになる。以上の操作方式により、操作は簡単で大きな力を費やす必要がなく、片手でその調整架台１０を操作することが可能であり、使用者がその角度に満足したらスクリーンの調整を停止し、前述力のバランス状態が達成され、スクリーンの角度を調整する操作が完成される。
【００１６】
以上に述べたのは本考案の最適具体的実施例であるが、本考案の構造特徴はそれに局限されず、いかなるこの技術を熟知するものが本考案の領域内に於いて簡単に思い及べる変化または改修された同等物は、すべて本案の特許範囲に含まれるものとする。
【図面の簡単な説明】
【００１７】
【図１】従来の平面ディスプレー装置の伸縮角度調整架台を示す図である。
【図２】本考案の実施例による片手で調整可能な平面ディスプレー装置の伸縮角度調整架台を示す分解図である。
【図３】本考案の実施例による片手で調整可能な平面ディスプレー装置の伸縮角度調整架台を示す平面図である。
【図４】本考案の実施例による片手で調整可能な平面ディスプレー装置の伸縮角度調整架台を示す図である。
【図５】本考案の実施例による片手で調整可能な平面ディスプレー装置の伸縮角度調整架台を示す図である。
【符号の説明】
【００１８】
１０  調整架台、１００  固定架台、１１０  枠、１１１  第一孔、１１３  第一固定、１１４  クッション部、１１５  Ｕ形塊、１２０  挟み塊、２００  滑り台、２１０  放置溝、２２０  保護板、２２１  板、２２２  滑り溝、２２３  第三孔、２２５  第二固ボルト、３００  弾性部件、３１０  スリーブ、４００  支え脚、５００  平面、６００  本体
【図１】
0003117097.tif 000003
【図２】
0003117097.tif 000004
【図３】
0003117097.tif 000005
【図４】
0003117097.tif 000006
【図５】
0003117097.tif 000007